(57)【要約】【課題】支柱金具側にも湾曲部を形成し、該湾曲部と基台側の湾曲部とによる伸びと縮みとによって弾性力を付与し、ガタが生じることのないようにした支柱の取付構造を提供する。【解決手段】支柱１の下面に固定された支柱金具２と、基台３とに互いに対向して突出する湾曲部２ａ，３ａを形成し、支柱金具２側の湾曲部２ａにナット４を溶接等の固定手段によって固定し、かつ、基台３側の湾曲部３ａ側からボルト６を挿通してナット４に螺合させることにより、支柱１を基台３に取り付ける。【選択図】　　図１
2004028314.tif 000002
【特許請求の範囲】
【請求項１】
支柱の下面に固定された支柱金具と、基台とに互いに対向して突出する湾曲部を形成し、前記支柱金具側の湾曲部にナットを固定手段によって固定し、かつ、前記基台側の湾曲部側からボルトを挿通して前記ナットに螺合させることにより、前記支柱を前記基台に取り付ける、
ことを特徴とする支柱の取付構造。
【請求項２】
請求項１に記載の支柱の取付構造において、
前記ボルトを前記ナットに螺合させて前記支柱を前記基台に取り付けた状態で、前記湾曲部同士の間に隙間がある、
ことを特徴とする支柱の取付構造。
【発明の詳細な説明】
【０００１】
【発明の属する技術分野】
本発明は、例えば、プロッタにおける支柱を、キャスタ等が取り付けられた基台に対して確実、かつ、強固に固定できるようにした支柱の取付構造に関する。
【０００２】
【従来の技術】
従来におけるプロッタ等の支柱の取付構造を図３、図４と共に説明する。
１は支柱（空洞の板材）にして、下面にコ字状の支柱金具２が開放面を下側にして固定されている。３はキャスタ等が取り付けられた基台である。
【０００３】
４は支柱金具２に溶接等の固定手段によって固定されたナット、５は基台３に溶接等の固定手段で貫通させて固定されたパイプにして、パイプ５の裏面側（下側）から挿入したボルト６がナット４に螺合することにより、支柱１は基台３に固定される。
【０００４】
【発明が解決しようとする課題】
ところで、従来の、支柱１を基台３に固定する方法にあっては、ボルト６のナット４への締付力によってのみ固定しているため、キャスタを利用して移動させたりする際の振動等によって締付力が弱まることにより、支柱１と基台３との間にガタが生じ、不安定な取付状態になるなどの問題があった。
【０００５】
そこで、従来は、ボルト６の頭部にスプリングワッシャを挿入し、このスプリングワッシャの弾性力を利用してボルト６とナット４との締結力が緩むのを防止していたが、組立時にスプリングワッシャを挿入する手間や、パイプ５およびスプリングワッシャ等の部品代が増加する等の問題があった。
【０００６】
本発明は、前記した問題点を解決するもので、支柱金具および基台に湾曲部を形成し、両湾曲部の伸びと縮みとによって弾性力を付与し、ガタが生じることのないようにした支柱の取付構造を提供する。
【０００７】
【課題を解決するための手段】
本発明の支柱の取付構造は、支柱の下面に固定された支柱金具と、基台とに互いに対向して突出する湾曲部を形成し、支柱金具側の湾曲部にナットを固定手段によって固定し、かつ、基台側の湾曲部側からボルトを挿通してナットに螺合させることにより、支柱を基台に取り付けることを特徴とする。
そして、ボルトをナットに螺合させて支柱を基台に取り付けた状態で、湾曲部同士の間に隙間があるようにするのが望ましい。
【０００８】
【発明の実施の形態】
以下、本発明に係る支柱の取付構造の一実施の形態を図１、図２と共に説明する。なお、従来例と同一または相当部材には同一符号を付し、その説明を省略する。
本発明と従来例とが相違する点は、コ字状に構成した支柱金具２の平坦面に絞り加工によって下側へ凹んだ湾曲部２ａを、この湾曲部２ａと対向する基台３の平坦面に絞り加工によって上側へ凹んだ湾曲部３ａを形成し、さらに支柱金具２の湾曲部２ａにナット４を溶接等の固定手段によって固定した点である。なお、湾曲部３ａは基台３の裏面側にボルト６の頭部を突出させない機能を有する。
【０００９】
このように構成した基台３の湾曲部３ａに形成されたネジ挿通孔３ｂからボルト６を挿通し、支柱金具２の湾曲部２ａに形成されたネジ挿通孔２ｂを介してナット４に螺合させて締め付けることにより、支柱金具２と基台３とに、図２に実線で示すような伸びＡと、図２に点線で示すような素材の縮みＢとが発生する。
【００１０】
この伸びＡと縮みＢとによる弾性力が、ボルト６の頭部とナット４との間に作用することから、スプリングワッシャを介在させたのと同じ作用となってボルト６とナット４との緩みの発生を防止することとなる。従って、支柱１と基台３とは振動等に対しても緩むことなく強固に一体化されることとなる。
【００１１】
そして、支柱金具２に湾曲部２ａを形成し、基台３に湾曲部３ａを形成したので、図１に示すように、支柱金具２と基台３との間隔が広くなることにより、支柱金具２の両端部分に位置し、支柱１に固定される脚部２ｃの長さを長くできるため、支柱１と支柱金具２とを固定するスポット溶接加工が容易にできる。
【００１２】
また、ボルト６をナット４に螺合させて支柱１を基台３に取り付けた状態で、支柱金具２の湾曲部２ａと、基台３の湾曲部３ａとの間に少し隙間を開けることにより、固定時に互いが引っ張られ、支柱金具２と基台３との裏と表とに伸びＡと縮みＢとが発生し、より取付強度を上げることができる。
【００１３】
さらに、支柱金具２に絞り加工を加えて湾曲部２ａを形成し、基台３に絞り加工を加えて湾曲部３ａを形成したことにより、支柱金具２および基台３の部品単体としての強度を上げることができる。
【００１４】
なお、前記した実施の形態にあっては、両湾曲部２ａ，３ａを、ボルト６をナット４に螺合させる部分にのみ絞り加工によって形成した場合について説明したが、支柱金具２および基台３の長手方向に沿って湾曲状の溝を形成し、この溝にネジ挿通孔２ｂ，３ｂを形成しても同様な作用が得られる。
【００１５】
【発明の効果】
本発明は、前記したように、支柱の下面に固定された支柱金具と、基台とに互いに対向して突出する湾曲部を形成し、支柱金具側の湾曲部にナットを固定手段によって固定し、かつ、基台側の湾曲部側からボルトを挿通してナットに螺合させることにより、支柱を基台に取り付けたので、両湾曲部に生じる伸びと縮みとによってボルトとナットとの緩みを防止できる。従って、支柱と基台とを振動等に対しても緩むことなく強固に一体化できる。
そして、支柱金具に湾曲部を形成し、基台に湾曲部を形成したので、支柱金具と基台との間隔が広くなることにより、支柱金具の両端部分に位置し、支柱に固定される脚部の長さを長くできるため、支柱と支柱金具とを固定するスポット溶接加工が容易にできる。
さらに、支柱金具に絞り加工を加えて湾曲部を形成し、基台に絞り加工を加えて湾曲部を形成したことにより、支柱金具および基台の部品単体としての強度を上げることができる。
【図面の簡単な説明】
【図１】本発明に係る支柱の取付構造を示す断面図である。
【図２】同上の要部を拡大した断面図である。
【図３】支柱と基台との関係を示す斜視図である。
【図４】従来の支柱の取付構造を示す断面図である。
【符号の説明】
１　　　　　支柱
２　　　　　支柱金具
３　　　　　基台
２ａ，３ａ　湾曲部
２ｂ，３ｂ　ネジ挿通孔
２ｃ　　　　脚部
４　　　　　ナット
５　　　　　パイプ
６　　　　　ボルト
【図１】
2004028314.tif 000003
【図２】
2004028314.tif 000004
【図３】
2004028314.tif 000005
【図４】
2004028314.tif 000006